(57)【要約】【課題】表示装置単体での線幅調整を可能とし、表現力を向上させることができる電気泳動表示装置の駆動方法を提供する。【解決手段】本発明の電気泳動表示装置の駆動方法は、画素電極に第１又は第２の電位を入力する一方、共通電極に前記第１の電位と前記第２の電位とを周期的に繰り返すパルス波を入力し、特定階調からなる画像要素と隣り合う前記画素の前記電気泳動素子に電圧印加する期間に前記パルス波の入力を停止することで、特定階調からなる画像要素の輪郭が縮小された画像を表示部に表示することを特徴とする。【選択図】図４
2010211049.tif 000002
【特許請求の範囲】
【請求項１】
第１基板と第２基板との間に電気泳動粒子を含む電気泳動素子を挟持してなり、複数の画素を配列してなる表示部を備え、各々の前記画素に対応して前記第１基板の前記電気泳動素子側に形成された画素電極と、前記第２基板の前記電気泳動素子側に形成され、複数の前記第１電極と対向する共通電極とを有する電気泳動表示装置の駆動方法であって、
前記画素電極に第１又は第２の電位を入力する一方、前記共通電極に前記第１の電位と前記第２の電位とを周期的に繰り返すパルス波を入力し、
前記共通電極への前記パルス波の入力を、特定階調からなる画像要素と隣り合う前記画素の前記電気泳動素子に電圧を印加する期間に停止することで、前記表示部に、前記特定階調からなる画像要素の輪郭が縮小された画像を表示することを特徴とする電気泳動表示装置の駆動方法。
【請求項２】
前記パルス波の最終パルスにおける後半のパルス幅を、前記パルス波を構成する他のパルスのパルス幅よりも大きくすることを特徴とする請求項１に記載の電気泳動表示装置の駆動方法。
【請求項３】
前記パルス波の最終パルスの周期を、前記パルス波を構成する他のパルスの周期よりも長くすることを特徴とする請求項１に記載の電気泳動表示装置の駆動方法。
【請求項４】
前記パルス幅又は前記周期の長さによって前記輪郭の縮小幅を調整することを特徴とする請求項２又は３に記載の電気泳動表示装置の駆動方法。
【請求項５】
前記特定階調が、階調値が最大である第１の階調、又は階調値が最小である第２の階調であることを特徴とする請求項１から４のいずれか１項に記載の電気泳動表示装置の駆動方法。
【請求項６】
前記特定階調が、中間階調であることを特徴とする請求項１から４のいずれか１項に記載の電気泳動表示装置の駆動方法。
【請求項７】
第１基板と第２基板との間に電気泳動粒子を含む電気泳動素子を挟持してなり、複数の画素を配列してなる表示部を備え、各々の前記画素に対応して前記第１基板の前記電気泳動素子側に形成された画素電極と、前記第２基板の前記電気泳動素子側に形成され、複数の前記第１電極と対向する共通電極と、前記画素電極及び前記共通電極に入力する電位を制御する制御部と、を有する電気泳動表示装置であって、
前記制御部は、
前記画素電極に第１又は第２の電位を入力する一方、前記共通電極に前記第１の電位と前記第２の電位とを周期的に繰り返すパルス波を入力し、
前記共通電極への前記パルス波の入力を、特定階調からなる画像要素と隣り合う前記画素の前記電気泳動素子に電圧を印加する期間に停止することで、前記表示部に、前記特定階調からなる画像要素の輪郭が縮小された画像を表示することを特徴とする電気泳動表示装置。
【請求項８】
前記パルス波の最終パルスにおける後半のパルス幅が、前記パルス波を構成する他のパルスのパルス幅よりも大きいことを特徴とする請求項７に記載の電気泳動表示装置。
【請求項９】
前記パルス波の最終パルスの周期が、前記パルス波を構成する他のパルスの周期よりも長いことを特徴とする請求項７に記載の電気泳動表示装置。
【請求項１０】
前記制御部は、前記パルス幅又は前記周期の長さによって前記輪郭の縮小幅を調整することを特徴とする請求項８又は９に記載の電気泳動表示装置。
【請求項１１】
前記特定階調が、階調値が最大である第１の階調、又は階調値が最小である第２の階調であることを特徴とする請求項７から１０のいずれか１項に記載の電気泳動表示装置。
【請求項１２】
前記特定階調が、中間階調であることを特徴とする請求項７から１０のいずれか１項に記載の電気泳動表示装置。
【請求項１３】
請求項７から１２のいずれか１項に記載の電気泳動表示装置を備えたことを特徴とする電子機器。
【発明の詳細な説明】
【技術分野】
【０００１】
本発明は、電気泳動表示装置の駆動方法、電気泳動表示装置、及び電子機器に関するものである。
【背景技術】
【０００２】
溶液中に電気泳動粒子を分散させてなる分散液に電界を印加した際に、クーロン力によって電気泳動粒子が泳動する現象（電気泳動現象）が知られており、当該現象を利用した電気泳動表示装置が開発されている。このような電気泳動表示装置は、例えば、下記特許文献１，２に開示されている。電気泳動表示装置は、共通電極と複数に分割された画素電極との間に電位差を生じさせることにより、表示色を所望の色に変化させることが可能となる。特許文献１記載の駆動方法では、共通電極に周期的にローレベルとハイレベルとを繰り返すパルス波を入力する駆動方法（コモン振り駆動）を採用していた。
【先行技術文献】
【特許文献】
【０００３】
【特許文献１】特開昭５２−７０７９１号公報
【特許文献２】特開２００３−１４０１９９号公報
【発明の概要】
【発明が解決しようとする課題】
【０００４】
ところで、電気泳動表示装置に限らず、表示装置一般においては、その表示解像度は画素サイズ及び画素ピッチにより規定され、表示される線幅は１画素単位の幅に固定されている。近年では、アンチエイリアス処理などの画像処理を施すことで擬似的に線幅を調整することが成されているが、表示装置単体で画素サイズに制限されない線幅調整を可能にすることは検討されていなかった。
【０００５】
本発明は、上記事情に鑑み成されたものであって、表示装置単体での線幅調整を可能とし、表現力を向上させることができる電気泳動表示装置の駆動方法、及び電気泳動表示装置を提供することを目的の一つとする。
【課題を解決するための手段】
【０００６】
本発明の電気泳動表示装置の駆動方法は、第１基板と第２基板との間に電気泳動粒子を含む電気泳動素子を挟持してなり、複数の画素を配列してなる表示部を備え、各々の前記画素に対応して前記第１基板の前記電気泳動素子側に形成された画素電極と、前記第２基板の前記電気泳動素子側に形成され、複数の前記第１電極と対向する共通電極とを有する電気泳動表示装置の駆動方法であって、前記画素電極に第１又は第２の電位を入力する一方、前記共通電極に前記第１の電位と前記第２の電位とを周期的に繰り返すパルス波を入力し、前記共通電極への前記パルス波の入力を、特定階調からなる画像要素と隣り合う前記画素の前記電気泳動素子に電圧を印加する期間に停止することで、前記表示部に、前記特定階調からなる画像要素の輪郭が縮小された画像を表示することを特徴とする。
【０００７】
この駆動方法では、共通電極に第１の電位と第２の電位とを周期的に繰り返すパルス波を入力することで電気泳動素子を駆動する、いわゆるコモン振り駆動を採用している。そして、コモン振り駆動における共通電極への電位入力停止のタイミングを、特定階調からなる画像要素と隣り合う画素を駆動する期間とすることで、特定階調からなる画像要素の輪郭を縮小することを可能にしたものである。
【０００８】
コモン振り駆動では、共通電極が第１の電位である期間に、第２の電位に保持された画素電極との間の電気泳動素子を駆動し、共通電極が第２の電位である期間に、第１の電位に保持された画素電極との間の電気泳動素子を駆動する。したがって、共通電極が第１の電位である期間には、第２の電位に保持された画素電極が属する画素は実質的に動作せず、共通電極が第２の電位である期間には、第１の電位に保持された画素電極が属する画素は実質的に動作しない。
【０００９】
また、共通電極は画素電極よりも大きい平面領域を有し、複数の画素電極と対向しているため、動作時に画素電極と共通電極との間に形成される電界は、画素電極側で狭く、共通電極に近づくに従って広がった電界となる。
【００１０】
以上から、電気泳動表示装置をコモン振り駆動した場合には、第１の電位に保持された画素電極（以下第１画素電極とする）と、第２の電位に保持された画素電極（以下第２画素電極とする）とが隣り合う領域において、共通電極の電位変化に伴って、第１画素電極から第２画素電極上にまで広がる電界が形成される期間と、第２画素電極から第１画素電極上にまで広がる電界が形成される期間とが交互に繰り返される。
【００１１】
そして、電気泳動素子に含まれる電気泳動粒子は、上述した電界に沿って移動するため、第１画素電極の属する画素が動作する期間では、第１画素電極の電位に対応した表示が第１画素電極よりも広い領域に及ぶ。逆に、第２画素電極の属する画素が動作する期間では、第２画素電極の電位に対応した表示が第２画素電極よりも広い領域に及ぶ。
【００１２】
本発明の駆動方法は、上の作用を利用し、共通電極への電位入力停止のタイミングを適切に制御することで、特定階調からなる画像要素の輪郭を自在に縮小させて表示できるようにしたものである。この駆動方法によれば、画素サイズに制限されない線幅の調整を表示装置単体で行うことができ、表現力に優れた表示が可能になる。
なお、本発明における画像要素は、表示部において１又は複数の画素により構成される画像成分である。
【００１３】
前記パルス波の最終パルスにおける後半のパルス幅を、前記パルス波を構成する他のパルスのパルス幅よりも大きくすることが好ましい。
この駆動方法によれば、線幅を規定する最後の電圧印加期間を長くするので、より確実に輪郭が縮小された表示を得ることができる。
【００１４】
前記パルス波の最終パルスの周期を、前記パルス波を構成する他のパルスの周期よりも長くすることが好ましい。
この駆動方法によれば、線幅を規定する最後の電圧印加期間を長くすることで、より確実に輪郭が縮小された表示を得ることができる。さらに、画素電極及び共通電極と電気泳動素子とに対して異なる極性の電位が入力される期間を均一化することができる。これにより、電極や電気泳動素子の劣化を抑えることができる。
【００１５】
前記パルス幅又は前記周期の長さによって前記輪郭の縮小幅を調整することが好ましい。
この駆動方法によれば、パルス幅又は周期を調整するという簡便な操作で、輪郭の縮小幅を調整でき、さらに表現力に優れた表示を得ることができる。
【００１６】
前記特定階調が、階調値が最大である第１の階調、又は階調値が最小である第２の階調であることが好ましい。
この駆動方法によれば、例えば黒表示された画像要素の輪郭を縮小した表示、あるいは、白表示された画像要素の輪郭を縮小した表示が可能である。
【００１７】
前記特定階調が、中間階調であることも好ましい。
この駆動方法によれば、例えばグレー表示された画像要素の輪郭を縮小した表示も可能である。
【００１８】
本発明の電気泳動表示装置は、第１基板と第２基板との間に電気泳動粒子を含む電気泳動素子を挟持してなり、複数の画素を配列してなる表示部を備え、各々の前記画素に対応して前記第１基板の前記電気泳動素子側に形成された画素電極と、前記第２基板の前記電気泳動素子側に形成され、複数の前記第１電極と対向する共通電極と、前記画素電極及び前記共通電極に入力する電位を制御する制御部と、を有する電気泳動表示装置であって、前記制御部は、前記画素電極に第１又は第２の電位を入力する一方、前記共通電極に前記第１の電位と前記第２の電位とを周期的に繰り返すパルス波を入力し、前記共通電極への前記パルス波の入力を、特定階調からなる画像要素と隣り合う前記画素の前記電気泳動素子に電圧を印加する期間に停止することで、前記表示部に、前記特定階調からなる画像要素の輪郭が縮小された画像を表示することを特徴とする。
【００１９】
この構成によれば、共通電極への電位入力停止のタイミングを適切に制御することで、特定階調からなる画像要素の輪郭を自在に縮小させて表示することができる。したがって、線幅の調整を表示装置単体で行うことができ、表現力に優れた表示が可能な電気泳動表示装置を実現することができる。
【００２０】
前記パルス波の最終パルスにおける後半のパルス幅が、前記パルス波を構成する他のパルスのパルス幅よりも大きいことが好ましい。
この構成によれば、線幅を規定する最後の電圧印加期間が長くなるので、より確実に輪郭が縮小された表示を得ることができる。
【００２１】
前記パルス波の最終パルスの周期が、前記パルス波を構成する他のパルスの周期よりも長いことが好ましい。
この構成によれば、線幅を規定する最後の電圧印加期間が長くなるので、より確実に輪郭が縮小された表示を得ることができる。さらに、画素電極及び共通電極と電気泳動素子とに対して異なる極性の電位が入力される期間を均一化することができる。これにより、電極や電気泳動素子の劣化を抑えることができる。
【００２２】
前記制御部は、前記パルス幅又は前記周期の長さによって前記輪郭の縮小幅を調整する構成とすることもできる。
この構成によれば、パルス幅又は周期を調整するという簡便な操作で、輪郭の縮小幅を調整でき、さらに表現力に優れた表示を得ることができる電気泳動表示装置となる。
【００２３】
前記特定階調が、階調値が最大である第１の階調、又は階調値が最小である第２の階調であることが好ましい。
この構成によれば、例えば黒表示された画像要素の輪郭を縮小した表示、あるいは、白表示された画像要素の輪郭を縮小した表示が可能である。
【００２４】
前記特定階調が、中間階調であることも好ましい。
この構成によれば、例えばグレー表示された画像要素の輪郭を縮小した表示も可能である。
【００２５】
本発明の電子機器は、先に記載の電気泳動表示装置を備えたことを特徴とする。
この構成によれば、表現力に優れた表示手段を具備した電子機器を提供することができる。
【図面の簡単な説明】
【００２６】
【図１】実施形態に係る電気泳動表示装置の概略構成図。
【図２】電気泳動表示装置の断面構造とマイクロカプセルを示す図。
【図３】電気泳動素子の動作説明図。
【図４】第１の駆動方法による画素の状態遷移を示す説明図。
【図５】第１の駆動方法におけるタイミングチャート。
【図６】第２の駆動方法による画素の状態遷移を示す説明図。
【図７】第２の駆動方法におけるタイミングチャート。
【図８】第３の駆動方法による画像表示動作を示す説明図。
【図９】第３の駆動方法におけるタイミングチャート。
【図１０】第４の駆動方法による画像表示動作を示す説明図。
【図１１】第４の駆動方法におけるタイミングチャート。
【図１２】第５の駆動方法による画像表示動作を示す説明図。
【図１３】第５の駆動方法におけるタイミングチャート。
【図１４】変形例に係る電気泳動表示装置の概略構成図。
【図１５】変形例に係る電気泳動表示装置の画素回路を示す図。
【図１６】電子機器の一例を示す図。
【図１７】電子機器の一例を示す図。
【図１８】電子機器の一例を示す図。
【発明を実施するための形態】
【００２７】
以下、図面を参照しつつ本発明の電気泳動表示装置について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせている。
【００２８】
図１は、本発明の実施の形態に係る電気泳動表示装置１００の概略構成図である。図２（ａ）は、電気泳動表示装置１００の断面構造とともに電気的構成を示した図である。
【００２９】
電気泳動表示装置１００は、複数の画素（セグメント）４０が配置された表示部５と、コントローラー（制御部）６３と、コントローラー６３と接続された画素電極駆動回路６０とを備えている。画素電極駆動回路６０は、それぞれの画素４０と画素電極配線６１を介して接続されている。また、表示部５には、各々の画素４０に共通の共通電極３７（図２参照）が設けられている。なお、図１では共通電極３７を便宜的に配線として表示している。
【００３０】
電気泳動表示装置１００は、コントローラー６３から画素電極駆動回路６０に画像データを転送し、かかる画像データに基づく電位を、個々の画素４０に直接入力するセグメント駆動方式の電気泳動表示装置である。
【００３１】
図２（ａ）に示すように、電気泳動表示装置１００の表示部５は、第１基板３０と第２基板３１との間に、電気泳動素子３２を挟持した構成である。第１基板３０の電気泳動素子３２側に複数の画素電極（セグメント電極）３５が形成され、第２基板３１の電気泳動素子３２側には共通電極３７が形成されている。電気泳動素子３２は、電気泳動粒子を内部に封入した複数のマイクロカプセル２０を平面的に配列した構成である。電気泳動表示装置１００は、電気泳動素子３２により形成された画像を共通電極３７側に表示する。
【００３２】
第１基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などを用いて形成される。
第２基板３１は、ガラスやプラスチック等からなる基板であり、画像表示側に配置されるため透明基板とされる。共通電極３７は、ＭｇＡｇ（マグネシウム銀）、ＩＴＯ、ＩＺＯ（登録商標；インジウム・亜鉛酸化物）などを用いて形成される透明電極である。
【００３３】
各々の画素電極３５には、画素電極配線６１を介して画素電極駆動回路６０が接続されている。画素電極駆動回路６０には、各々の画素電極配線６１に対応するスイッチング素子６０ｓが設けられており、スイッチング素子６０ｓの動作により画素電極３５に対する電位の入力と電気的切断（ハイインピーダンス化）を行う。
一方、共通電極３７には、共通電極配線６２を介して共通電極駆動回路６４が接続されている。共通電極駆動回路６４には、共通電極配線６２と接続されたスイッチング素子６４ｓが設けられており、スイッチング素子６４ｓの動作により共通電極３７に対する電位の入力と電気的切断（ハイインピーダンス化）を行う。
【００３４】
なお、電気泳動素子３２は、あらかじめ第２基板３１側に形成され、接着剤層３３までを含めた電気泳動シートとして取り扱われるのが一般的である。製造工程において、電気泳動シートは接着剤層３３の表面に保護用の剥離シートが貼り付けられた状態で取り扱われる。そして、別途製造された第１基板３０（画素電極３５などが形成されている）に対して、剥離シートを剥がした当該電気泳動シートを貼り付けることによって、表示部５を形成する。このため、接着剤層３３は画素電極３５側のみに存在することになる。
【００３５】
図２（ｂ）は、マイクロカプセル２０の模式断面図である。マイクロカプセル２０は、例えば３０〜５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図２に示したように共通電極３７と画素電極３５との間に挟持され、１つの画素４０内に１つ又は複数のマイクロカプセル２０が配置される。
【００３６】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００３７】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
【００３８】
図３は、電気泳動素子の動作説明図である。図３（ａ）は、画素４０を白表示する場合、図３（ｂ）は、画素４０を黒表示する場合をそれぞれ示している。
図３（ａ）に示す白表示の場合には、共通電極３７が相対的に高電位、画素電極３５が相対的に低電位に保持される。これにより、負に帯電した白色粒子２７が共通電極３７に引き寄せられる一方、正に帯電した黒色粒子２６が画素電極３５に引き寄せられる。その結果、表示面側となる共通電極３７側からこの画素を見ると、白色（Ｗ）が認識される。
図３（ｂ）に示す黒表示の場合、共通電極３７が相対的に低電位、画素電極３５が相対的に高電位に保持される。これにより、正に帯電した黒色粒子２６が共通電極３７に引き寄せられる一方、負に帯電した白色粒子２７が画素電極３５に引き寄せられる。その結果、共通電極３７側からこの画素を見ると黒色（Ｂ）が認識される。
【００３９】
［第１の駆動方法（細い黒線の表示方法）］
次に、上記構成を備えた電気泳動表示装置の駆動方法について説明する。
図４は、本発明に係る電気泳動表示装置の第１の駆動方法による画素４０の状態遷移を示す説明図である。図４（ａ）及び図４（ｂ）は、５つの画素４０の初期状態を示す平面図及び断面図である。図４（ｃ）及び図４（ｄ）は、書き込み動作後の画素４０の状態を示す平面図及び断面図である。図５は、第１の駆動方法におけるタイミングチャートである。
【００４０】
本実施形態に係る第１の駆動方法は、図４（ａ）に示す白表示された５つの画素４０のうち、画素電極ＳＥＧ０（画素電極３５）が属する中央の画素４０のみを、図４（ｃ）に示すように黒表示（特定階調）に移行させ、かつ、１画素の幅よりも狭い領域を黒表示させる駆動方法である。以下、かかる駆動方法について詳細に説明する。
【００４１】
図４（ａ）及び図４（ｂ）に示す白表示の画素４０では、画素電極３５（ＳＥＧ０、ＳＥＧ１）側に黒色粒子２６が引き寄せられ、共通電極３７（ＣＯＭ）側に白色粒子２７が引き寄せられている。かかる表示状態に移行させる駆動方法としては、例えば、２つの画素電極ＳＥＧ０、ＳＥＧ１にローレベル（例えば０Ｖ）の電位を入力し、共通電極ＣＯＭにローレベルの電位とハイレベル（例えば１５Ｖ）の電位を周期的に繰り返すパルス波を入力する。これにより、５つの画素４０をいずれも白表示状態とすることができる。また、共通電極ＣＯＭをハイレベルの電位に保持しても同様の表示状態を得ることができる。
【００４２】
なお、図４（ａ）に示す初期状態は、説明の簡単のために、全ての画素４０が白表示されている状態を示したにすぎない。すなわち、本実施形態の駆動方法において、表示を更新する前の初期状態は任意の表示状態とすることができる。例えば、５つの画素４０が全て黒表示されている状態を初期状態としてもよく、白表示の画素４０と黒表示の画素４０が混在した状態を初期状態としてもよい。
【００４３】
次に、図４（ａ）に示す白表示状態から図４（ｃ）に示す白表示と黒表示とが混在した状態とするには、図５（ａ）に示すように、画素電極ＳＥＧ０にハイレベル（１５Ｖ）の電位を入力する一方、画素電極ＳＥＧ１にローレベル（例えば０Ｖ）の電位を入力する。そして、共通電極ＣＯＭに、ローレベル（例えば０Ｖ）とハイレベル（例えば１５Ｖ）を周期的に繰り返す矩形波状のパルス波を入力する。
【００４４】
これにより、画素電極ＳＥＧ０が属する画素４０では、共通電極ＣＯＭがローレベルである期間に、画素電極ＳＥＧ０（ハイレベル）と共通電極ＣＯＭとの電位差により電気泳動素子３２が駆動され、画素４０が黒表示動作する。
一方、画素電極ＳＥＧ１が属する画素４０では、共通電極ＣＯＭがハイレベルである期間に画素電極ＳＥＧ１と共通電極ＣＯＭとの間に電位差が生じ、白表示動作する。しかし、これらの画素４０は、初期状態がいずれも白表示であるため表示は変化しない。
【００４５】
ここで、本実施形態の駆動方法では、図５（ａ）に示すように、共通電極ＣＯＭに入力されるパルス波のうち最終パルスＰｎが、他のパルスとは異なるパルス幅のパルスとされている。より詳細には、最終パルスＰｎ以外のパルスがデューティ比１：１、パルス幅Ｐｗ１のパルスであるのに対して、最終パルスＰｎは、後半のパルス幅が大きいデューティ比（例えば１：３）に設定されており、前半のパルス幅Ｐｗ１に対して、後半のパルス幅Ｐｗ２が大きくされている。
【００４６】
図４（ｄ）に示すように、画素電極ＳＥＧ１の属する画素４０が白表示動作する際には、画素電極ＳＥＧ０よりも共通電極ＣＯＭの方が広いため、共通電極ＣＯＭから画素電極ＳＥＧ１に向かう電界Ｅは、共通電極ＣＯＭ側の方が広くなる。すなわち、共通電極ＣＯＭと同電位の画素電極ＳＥＧ０と画素電極ＳＥＧ１とが隣り合う領域では、画素電極ＳＥＧ１の端部から画素電極ＳＥＧ０上の一部まで広がる電界Ｅが形成される。一方、画素電極ＳＥＧ０の属する画素４０が黒表示動作する際には、画素電極ＳＥＧ０から画素電極ＳＥＧ１上の一部まで広がった電界が形成される。
【００４７】
そして、電気泳動素子３２に含まれる電気泳動粒子は、上記のような広がりを有する電界に沿って移動するため、画素電極ＳＥＧ０が属する画素４０による黒表示領域の幅は、共通電極ＣＯＭの電位がハイレベルとローレベルとの間で切り替わるのに連動して変化する。つまり、画素電極ＳＥＧ０の属する画素４０が黒表示動作している期間に黒表示領域が広くなり、画素電極ＳＥＧ１の属する画素４０が白表示動作している期間には黒表示領域が狭くなる。
【００４８】
そして、電気泳動素子３２への電圧印加が停止されると、電気泳動素子３２はその時の表示状態を保持するので、黒表示領域の広さ（線幅）は、共通電極ＣＯＭへの電位入力が停止されたときの動作状態に依存して決定される。つまり、黒表示領域の線幅は、電位入力を停止したときの共通電極ＣＯＭの電位により決定される。
【００４９】
本実施形態では、画素電極ＳＥＧ０の属する画素４０により表示される線幅を縮小するために、共通電極ＣＯＭへの電位入力停止のタイミングを、図５（ａ）に示すように、共通電極ＣＯＭがハイレベルである期間に設定している。これにより、図４（ｄ）に示したように、黒表示の領域を縮小しうる電界Ｅが形成されているときに電気泳動素子３２への電圧印加を停止し、輪郭が縮小された黒表示が保持されるようにしている。
【００５０】
さらに本実施形態の駆動方法では、共通電極ＣＯＭに入力される最終パルスＰｎの後半部分のパルス幅Ｐｗ２が長くなっているため、パルス幅Ｐｗ１である他のパルスが入力されたときよりも、図４（ｄ）に示す斜め方向の電界が電気泳動粒子に作用する時間が長くなる。
そのため、画素電極ＳＥＧ０の端部から比較的離れた位置においても白色粒子２７が共通電極ＣＯＭ側に引き寄せられ、図４（ｃ）に示すように、画素電極ＳＥＧ０の端部からより内側に黒表示領域が縮小された表示を得ることができる。
【００５１】
さらにまた、本実施形態の駆動方法によれば、最終パルスＰｎの後半のパルス幅Ｐｗ２を調整することで、黒表示領域の縮小幅Ｗｂを調整することが可能である。具体的には、パルス幅Ｐｗ２の長さを伸縮することで、縮小幅Ｗｂを伸縮させることができる。これは、図４（ｄ）に示すように、画素電極ＳＥＧ１の端部から画素電極ＳＥＧ０側へ斜め方向に延びる電界は、画素電極ＳＥＧ１の法線方向に形成される電界に比して弱く、またかかる斜め電界により移動される電気泳動粒子の移動距離も長くなるためである。
【００５２】
そのため、パルス幅Ｐｗ２を短くすると、画素電極ＳＥＧ１から離れた位置の画素電極ＳＥＧ０上では、黒色粒子２６が共通電極ＣＯＭ近傍まで到達できなくなり、縮小幅Ｗｂが狭くなる。逆に、パルス幅Ｐｗ２を長くすると、斜め電界により移動される白色粒子２７を画素電極ＳＥＧ０のより内側に位置する共通電極ＣＯＭ近傍に到達させることができ、縮小幅Ｗｂを広くすることができる。
【００５３】
なお、図４（ｄ）に示す電界Ｅが広がる領域には限界があるため、パルス幅Ｐｗ２の長さを一定時間以上に長くすると、縮小幅Ｗｂは変化しなくなる。縮小幅Ｗｂを調整できる範囲は、電気泳動表示装置１００の構造や電気泳動素子３２の特性にも依存するが、おおよそ０．５画素分である。したがって、本実施形態の駆動方法によれば、画素ピッチの１／１０以下のごく細い線から１画素分までの間で自在に線幅を調整することが可能である。
【００５４】
また本実施形態では、パルス幅Ｐｗ２をパルス幅Ｐｗ１よりも大きくした場合について説明したが、先に記載のように、共通電極ＣＯＭへの電位入力停止のタイミングを適切に規定すれば、線幅を縮小する効果を得ることができるため、パルス幅Ｐｗ２とパルス幅Ｐｗ１とが同等の長さとされていてもよい。したがって、パルス幅Ｐｗ２の下限値はＰｗ１であり、上限値は縮小幅Ｗｂが変化しなくなる長さである。
【００５５】
また、本発明の駆動方法では、図５（ｂ）に示すタイミングチャートを採用することがより好ましい。図５（ｂ）に示すタイミングチャートでは、共通電極ＣＯＭに入力される最終パルスＰｎが前半後半ともにパルス幅Ｐｗ２のパルスとされている。すなわち、最終パルスの前半のパルス幅も他のパルスのパルス幅よりも長くされ、デューティ比１：１に変更されている。
【００５６】
図５（ｂ）に示すタイミングチャートを採用することで、電気泳動素子３２や画素電極３５、共通電極３７の劣化を抑えることができる。
より詳しくは、図５（ａ）に示した最終パルスＰｎでは、画素電極ＳＥＧ１の属する画素４０を白表示動作させる期間が、ＳＥＧ０の属する画素４０を黒表示させる期間よりも長くなる。このように電気泳動素子３２に作用する電界に偏りを生じると、画素電極３５や共通電極３７が電気化学的反応により劣化するおそれがあり、また電気泳動素子３２の寿命が短くなるおそれもある。
これに対して、図５（ｂ）に示すタイミングチャートでは、最終パルスＰｎのデューティ比が１：１になっているため、電気泳動素子３２に作用させる電界の偏りが生じることがなく、上記のような電気泳動素子３２や電極の劣化が生じるのを回避し、長期間にわたって良好な表示を得ることができる。
【００５７】
［第２の駆動方法（細い白線の表示方法）］
次に、本実施形態の第２の駆動方法について説明する。
図６は、本発明に係る電気泳動表示装置の第２の駆動方法による画素４０の状態遷移を示す説明図である。図６（ａ）及び図６（ｂ）は、５つの画素４０の初期状態を示す平面図及び断面図である。図６（ｃ）及び図６（ｄ）は、書き込み動作後の画素４０の状態を示す平面図及び断面図である。図７は、本発明の駆動方法におけるタイミングチャートである。
【００５８】
本実施形態に係る第２の駆動方法は、図６（ａ）に示す黒表示された５つの画素４０のうち、画素電極ＳＥＧ１（画素電極３５）が属する中央の画素４０のみを、図６（ｃ）に示すように白表示（特定階調）に移行させ、かつ、１画素の幅よりも狭い領域を白表示させる駆動方法である。以下、かかる駆動方法について詳細に説明する。
【００５９】
図６（ａ）に示す初期状態は、先の第１の駆動方法と同様に、説明の簡単のために、全ての画素４０が黒表示されている状態を示したにすぎず、任意の表示状態を初期状態とすることができる。
【００６０】
図６（ａ）に示す黒表示状態から図６（ｃ）に示す白表示と黒表示とが混在した状態とするには、図７（ａ）に示すように、画素電極ＳＥＧ０にハイレベル（１５Ｖ）の電位を入力する一方、画素電極ＳＥＧ１にローレベル（例えば０Ｖ）の電位を入力する。そして、共通電極ＣＯＭに、ローレベル（例えば０Ｖ）とハイレベル（例えば１５Ｖ）を周期的に繰り返す矩形波状のパルス波を入力する。
【００６１】
これにより、画素電極ＳＥＧ１の属する画素４０では、共通電極ＣＯＭがハイレベルである期間に、画素電極ＳＥＧ１と共通電極ＣＯＭとの電位差により電気泳動素子３２が駆動され、画素４０が白表示動作する。
一方、画素電極ＳＥＧ０の属する画素４０では、共通電極ＣＯＭがローレベルである期間に、画素電極ＳＥＧ０と共通電極ＣＯＭとの電位差により電気泳動素子３２が駆動され、画素４０が黒表示動作する。しかし、画素電極ＳＥＧ０の属する画素４０は初期状態が黒表示であるため、表示は変化しない。
【００６２】
第２の駆動方法においても、図７（ａ）に示すように、共通電極ＣＯＭに入力されるパルス波のうち最終パルスＰｎが、他のパルスとは異なるパルス幅のパルスとされている。すなわち、最終パルスＰｎのデューティ比が、前半のパルス幅Ｐｗ１に対して後半のパルス幅Ｐｗ２が大きいデューティ比（例えば１：３）に設定されている。
【００６３】
図６（ｄ）に示すように、画素電極ＳＥＧ０の属する画素４０が黒表示動作する際には、画素電極ＳＥＧ０よりも共通電極ＣＯＭの方が広いため、共通電極ＣＯＭから画素電極ＳＥＧ０に向かう電界Ｅは、共通電極ＣＯＭ側で画素電極ＳＥＧ０よりも広い平面領域に広がり、画素電極ＳＥＧ０の端部から画素電極ＳＥＧ１上の一部にわたって形成される。かかる期間では、画素電極ＳＥＧ０の端部から画素電極ＳＥＧ１上に広がる斜め電界によって黒色粒子２６が駆動され、画素電極ＳＥＧ１上の一部が黒表示となる。
【００６４】
そして、本駆動方法では、図６（ｄ）に示す電界Ｅが形成される期間（共通電極ＣＯＭの電位がローレベルである期間）に、共通電極ＣＯＭへの電位入力を停止する。これにより、図６（ｃ）及び図６（ｄ）に示すように、白表示の線幅が縮小された表示が保持される。
【００６５】
さらに本実施形態では、共通電極ＣＯＭに入力される最終パルスＰｎの後半部分のパルス幅が長くなっているため、パルス幅Ｐｗ１のパルスが入力されたときよりも、図６（ｄ）に示す斜め方向の電界が電気泳動粒子に作用する時間が長くなる。これにより、よりも広い範囲で黒色粒子２６が画素電極ＳＥＧ１上の共通電極ＣＯＭ側に引き寄せられるので、より大きい縮小幅Ｗｗで白表示の線幅が縮小された表示を得ることができる。
【００６６】
さらに、本実施形態の駆動方法においても、最終パルスＰｎの後半のパルス幅Ｐｗ２を調整することで、白表示領域の縮小幅Ｗｗを調整することが可能である。すなわち、パルス幅Ｐｗ２の長さを伸縮することで、縮小幅Ｗｗを伸縮させることができる。パルス幅Ｐｗ２を短くすると、画素電極ＳＥＧ０の端部から離れた位置の共通電極ＣＯＭ近傍までは黒色粒子２６が到達できなくなり、縮小幅Ｗｗが狭くなる。逆に、パルス幅Ｐｗ２を長くすると、斜め電界により移動される黒色粒子２６を画素電極ＳＥＧ１のより内側に位置する共通電極ＣＯＭ近傍に到達させることができ、縮小幅Ｗｗを広くすることができる。
【００６７】
なお、図６（ｄ）に示す電界Ｅが広がる領域には限界があるため、パルス幅Ｐｗ２の長さが一定時間に達すると、それ以上に縮小幅Ｗｗを伸長させる作用は得られなくなる。縮小幅Ｗｂを調整できる範囲は、電気泳動表示装置１００の構造や電気泳動素子３２の特性にも依存するが、おおよそ０．５画素分である。したがって、本実施形態の駆動方法によれば、１画素の１／１０以下のごく細い線幅から１画素分の幅までの間で自在に線幅を調整することが可能である。
【００６８】
また第２の駆動方法においても、第１の駆動方法と同様に、パルス幅Ｐｗ２をパルス幅Ｐｗ１と同等の長さとしてもよい。この場合にも、画像書き込みの最後に図６（ｄ）に示す電界Ｅが電気泳動素子３２に作用するため、一部の黒色粒子２６が画素電極ＳＥＧ１上の共通電極ＣＯＭ側へ引き寄せられ、かかる状態で電気泳動素子３２への電圧印加が停止されるため、画素電極ＳＥＧ１よりも狭い範囲で白表示された状態が得られる。したがって、パルス幅Ｐｗ２の下限値はＰｗ１であり、上限値は縮小幅Ｗｗが変化しなくなる長さである。
【００６９】
また、第２の駆動方法においても、図７（ｂ）に示すタイミングチャートを採用することがより好ましい。図７（ｂ）に示すタイミングチャートでは、共通電極ＣＯＭに入力される最終パルスＰｎが前半後半ともにパルス幅Ｐｗ２のパルスとされている。すなわち、パルスの前半のパルス幅も他のパルスのパルス幅よりも長くされ、デューティ比１：１に変更されている。図７（ｂ）に示すタイミングチャートを採用することで、先に説明した第１の駆動方法と同様に、電気泳動素子３２や画素電極３５、共通電極３７の劣化を抑えることができる。
【００７０】
［第３の駆動方法（細いライトグレー線の表示方法）］
本発明の駆動方法によれば、黒表示又は白表示における線幅の縮小のみならず、中間調表示（グレー表示）における線幅の縮小も可能である。本実施形態では、線幅を縮小した中間調表示（特定階調表示）を行う駆動方法について図面を参照しつつ説明する。
【００７１】
図８は、本発明に係る電気泳動表示装置の第３の駆動方法による画素４０の状態遷移を示す説明図である。図８（ａ）及び図８（ｂ）は、５つの画素４０の初期状態を示す平面図及び断面図である。図８（ｃ）及び図８（ｄ）は、書き込み動作後の画素４０の状態を示す平面図及び断面図である。図９は、第３の駆動方法におけるタイミングチャートである。
【００７２】
本実施形態の駆動方法は、図９に示すように、白表示ステップＳ１０１と、グレー表示ステップＳ１０２とを含む。図８（ａ）及び図８（ｂ）は、白表示ステップＳ１０１の実行結果に対応する表示状態を示し、図８（ｃ）及び図８（ｄ）は、グレー表示ステップＳ１０２の実行結果に対応する表示状態を示している。
なお、図９では、図面を見やすくするために白表示ステップＳ１０１とグレー表示ステップＳ１０２とを間隔を空けて表示している。
【００７３】
白表示ステップＳ１０１は、グレー表示に先立って、グレー表示される部分を含む表示部５の一部領域又は表示部５の全体を白表示するステップである。白表示ステップＳ１０１は必要に応じて設けられ、グレー表示される領域が予め白表示されている場合には実行しなくてもよい。また、白表示ステップＳ１０１は、グレー表示される領域を白表示することが可能であればよいため、表示部５の全体を白表示させる画像消去ステップを実行してもよく、二値画像（白黒画像）を表示するモノクロ画像表示ステップを実行してもよい。
グレー表示ステップＳ１０２は、表示部５において白表示されている領域の画素１４０を、黒表示動作させることで白表示からグレー表示に移行させるステップである。
【００７４】
以下、図８及び図９を参照しつつ、本実施形態の駆動方法について詳細に説明する。
【００７５】
まず、白表示ステップＳ１０１では、図９に示すように、画素電極ＳＥＧ０、ＳＥＧ１の双方に、ローレベルの電位（例えば０Ｖ）を入力し、共通電極ＣＯＭには、ハイレベルとローレベルを周期的に繰り返す矩形波状のパルス波を入力する。これにより、５つの画素４０がいずれも白表示状態とされる。
【００７６】
次に、グレー表示ステップＳ１０２に移行すると、図９に示すように、図８（ａ）中央の画素電極ＳＥＧ０にハイレベルの電位（例えば１５Ｖ）を入力し、他の画素電極ＳＥＧ１にはローレベルの電位を入力する。また、共通電極ＣＯＭには、ハイレベルとローレベルを周期的に繰り返す矩形波状のパルス波を入力する。
【００７７】
そうすると、画素電極ＳＥＧ０が属する画素４０では、共通電極ＣＯＭがローレベルである期間に、画素電極ＳＥＧ０（ハイレベル）と共通電極ＣＯＭとの電位差により電気泳動素子３２が駆動され、画素４０が黒表示動作する。
このとき、電気泳動素子３２は黒表示動作するが、図９に示すように、グレー表示ステップＳ１０２の電圧印加期間は、白表示ステップＳ１０１よりも短いため、元が白表示であった画素電極ＳＥＧ０の属する画素４０は黒表示にはならず、淡いグレー表示となる。
【００７８】
一方、画素電極ＳＥＧ１が属する画素４０では、共通電極ＣＯＭがハイレベルである期間に画素電極ＳＥＧ１と共通電極ＣＯＭとの間に電位差が生じ、白表示動作する。しかし、これらの画素４０はいずれも元が白表示であるため、表示は変化しない。
【００７９】
ここで、本実施形態の駆動方法では、図９に示すように、グレー表示ステップＳ１０２における共通電極ＣＯＭへの電位入力停止のタイミングを、共通電極ＣＯＭに入力される最終パルスＰｎがハイレベルである期間に設定している。すなわち、画素電極ＳＥＧ０の属する画素４０は実質的に動作せず、画素電極ＳＥＧ１の属する画素４０が白表示動作する期間に、電気泳動素子３２への電圧印加を停止する。
【００８０】
かかる期間では、図８（ｄ）に示すように、共通電極ＣＯＭから画素電極ＳＥＧ１に向かう電界Ｅが形成されており、かかる電界Ｅは画素電極ＳＥＧ０、ＳＥＧ１側よりも共通電極ＣＯＭ側において面方向に広がった形状である。そして、画素電極ＳＥＧ０を挟む画素電極ＳＥＧ１、ＳＥＧ１の端部から画素電極ＳＥＧ０側へ延びる斜め電界の存在により、画素電極ＳＥＧ０上の一部領域においても白色粒子２７が共通電極ＣＯＭ側に引き寄せられる。その結果、図示のように画素電極ＳＥＧ０の属する画素４０の一部も白表示され、グレー表示の領域が狭くなる。この状態で電位入力を停止することで、画素４０よりも狭い範囲でグレー表示された状態を得ることができる。
【００８１】
以上のグレー表示ステップＳ１０２により、白表示ステップＳ１０１で白表示されていた領域の一部が淡いグレーの中間調表示とされ、中間階調を含む多階調表示が実現される。
【００８２】
なお、本実施形態では、最終パルスＰｎのパルス幅や周期を他のパルスと同等の長さとしている。これは、グレー表示ステップＳ１０２では、電圧印加開始直後の電気泳動素子３２の反射率変化が大きい期間中に電圧印加を停止させるためである。つまり、かかる期間においては、電気泳動粒子が電界に敏感に応答するため、斜め電界の影響を受けやすい。そのため、最終パルスＰｎのパルス幅や周期を変更しなくとも、共通電極ＣＯＭへの電位入力停止のタイミングを制御するのみで、線幅が十分に縮小されたグレー表示を得ることができるのである。
【００８３】
ただし、本実施形態の駆動方法において、グレー表示ステップＳ１０２における最終パルスＰｎの後半のパルス幅、又は最終パルスＰｎの周期を、他のパルスのパルス幅又は周期よりも長くすることが妨げられるものではない。電気泳動素子３２の応答特性により効果は異なるが、パルス幅や周期の調整により図８（ｄ）の縮小幅Ｗｇを伸縮させることが可能である。
【００８４】
［第４の駆動方法（細いダークグレー線の表示方法）］
図１０は、本発明に係る電気泳動表示装置の第４の駆動方法による画素４０の状態遷移を示す説明図である。図１０（ａ）及び図１０（ｂ）は、５つの画素４０の初期状態を示す平面図及び断面図である。図１０（ｃ）及び図１０（ｄ）は、書き込み動作後の画素４０の状態を示す平面図及び断面図である。図１１は、本発明の駆動方法におけるタイミングチャートである。
【００８５】
本実施形態の駆動方法は、図１１に示すように、黒表示ステップＳ２０１と、グレー表示ステップＳ２０２とを含む。図１０（ａ）及び図１０（ｂ）は、黒表示ステップＳ２０１の実行結果に対応する表示状態を示し、図１０（ｃ）及び図１０（ｄ）は、グレー表示ステップＳ２０２の実行結果に対応する表示状態を示している。
なお、図１１では、図面を見やすくするために黒表示ステップＳ２０１とグレー表示ステップＳ２０２とを間隔を空けて表示している。
【００８６】
黒表示ステップＳ２０１は、グレー表示に先立って、グレー表示される部分を含む表示部５の一部領域又は表示部５の全体を黒表示するステップである。黒表示ステップＳ２０１は必要に応じて設けられ、グレー表示される領域が予め黒表示されている場合には実行しなくてもよい。また、グレー表示される領域を黒表示することが可能であればよいため、表示部５の全体を黒表示させる画像消去ステップとすることもでき、二値画像を表示するモノクロ画像表示ステップとすることもできる。
グレー表示ステップＳ２０２は、黒表示されている領域の画素１４０を白表示動作させることで黒表示からグレー表示に移行させるステップである。
【００８７】
以下、図１０及び図１１を参照しつつ、本実施形態の駆動方法について詳細に説明する。
【００８８】
まず、黒表示ステップＳ２０１では、図１１に示すように、画素電極ＳＥＧ０及び画素電極ＳＥＧ１の双方にハイレベルの電位（例えば１５Ｖ）を入力し、共通電極ＣＯＭには、ハイレベルとローレベルを周期的に繰り返す矩形波状のパルス波を入力する。これにより、５つの画素４０がいずれも黒表示状態とされる。
【００８９】
次に、グレー表示ステップＳ２０２に移行すると、図１１に示すように、図１０（ａ）中央の画素電極ＳＥＧ１にローレベルの電位（例えば０Ｖ）を入力し、他の画素電極ＳＥＧ０にはハイレベルの電位を入力する。また、共通電極ＣＯＭには、ハイレベルとローレベルを周期的に繰り返す矩形波状のパルス波を入力する。
【００９０】
そうすると、画素電極ＳＥＧ１が属する画素４０では、共通電極ＣＯＭがハイレベルである期間に、画素電極ＳＥＧ１（ローレベル）と共通電極ＣＯＭとの間に生じる電位差によって電気泳動素子３２が駆動され、画素４０が白表示動作する。
このとき、電気泳動素子３２は白表示動作するが、図１１に示すように、グレー表示ステップＳ２０２の電圧印加期間は、黒表示ステップＳ２０１よりも短いため、元が黒表示であった画素電極ＳＥＧ１の属する画素４０は白表示にはならず、濃いグレー表示となる。
【００９１】
一方、画素電極ＳＥＧ０が属する画素４０は、共通電極ＣＯＭがローレベルである期間に、画素電極ＳＥＧ０（ハイレベル）と共通電極ＣＯＭとの間に生じる電位差によって黒表示動作する。しかし、元が黒表示であるこれらの画素４０の表示は変化しない。
【００９２】
ここで、第４の駆動方法では、図１１に示すように、グレー表示ステップＳ２０２における共通電極ＣＯＭへの電位入力停止のタイミングを、共通電極ＣＯＭに入力される最終パルスＰｎがローレベルである期間に設定している。すなわち、グレー表示される画素電極ＳＥＧ１の属する画素４０が実質的に動作せず、他の画素電極ＳＥＧ０の属する画素４０が黒表示動作する期間に、電気泳動素子３２への電圧印加を停止する。
【００９３】
かかる期間では、図１０（ｄ）に示すように、画素電極ＳＥＧ０から共通電極ＣＯＭに向かう電界Ｅが形成されており、かかる電界Ｅは画素電極３５側よりも共通電極ＣＯＭ側において面方向に広がった形状である。そして、画素電極ＳＥＧ１を挟む画素電極ＳＥＧ０、ＳＥＧ０の端部から画素電極ＳＥＧ１側へ延びる斜め電界の存在により、画素電極ＳＥＧ１上においても黒色粒子２６が共通電極ＣＯＭ側に引き寄せられる。その結果、図示のように画素電極ＳＥＧ１の属する画素４０の一部も黒表示され、グレー表示の領域が狭くなる。この状態で電位入力を停止することで、画素４０よりも狭い範囲でグレー表示された状態を得ることができる。
【００９４】
以上のグレー表示ステップＳ２０２により、黒表示ステップＳ２０１で黒表示されていた領域の一部が濃いグレーの中間調表示とされ、中間階調を含む多階調表示が実現される。
【００９５】
なお、第４の駆動方法においても、先の第３の駆動方法と同様の理由により最終パルスＰｎのパルス幅や周期を他のパルスと同等の長さとしているが、グレー表示ステップＳ２０２における最終パルスＰｎの後半のパルス幅、又は最終パルスＰｎの周期を、他のパルスのパルス幅又は周期よりも長くすることが妨げられるものではない。
【００９６】
［第５の駆動方法（２種類のグレー線の表示方法）］
図１２は、本実施形態の駆動方法による画像表示動作を示す説明図である。図１２（ａ）は、本駆動方法の各ステップにおいて表示に用いられる画像データを概念的に示す図である。図１２（ｂ）は、各ステップにおける表示部５の表示状態及び領域ごとの電位状態を示す図である。図１３は、本駆動方法におけるタイミングチャートである。
【００９７】
本実施形態の駆動方法は、図１３に示すように、モノクロ画像表示ステップＳ３０１と、第１のグレー表示ステップＳ３０２と、第２のグレー表示ステップＳ３０３と、グレー線縮小ステップＳ３０４とを含む。
【００９８】
モノクロ画像表示ステップＳ３０１は、グレー表示に先立って、黒表示の領域と白表示の領域とからなる白黒画像（モノクロ画像）を表示部５に表示させるステップである。
第１のグレー表示ステップＳ３０２は、モノクロ画像表示ステップＳ３０１において黒表示された領域の一部を白表示動作させることで、かかる一部の画素４０を黒表示からグレー表示に移行させるステップである。
第２のグレー表示ステップＳ３０３は、モノクロ画像表示ステップＳ３０１において白表示された領域の一部を黒表示動作させることで、かかる一部の画素４０を白表示からグレー表示に移行させるステップである。
グレー線縮小ステップＳ３０４は、第１及び第２のグレー表示ステップＳ３０２、Ｓ３０３でグレー表示された線の幅（画像要素の輪郭）を縮小させるステップである。
【００９９】
以下、図１２及び図１３を参照しつつ、本実施形態の駆動方法について詳細に説明する。
【０１００】
＜モノクロ画像表示ステップＳ３０１＞
まず、モノクロ画像表示ステップＳ３０１では、図１２（ａ）に示す画像データＤ１を用いた画像表示動作が実行される。画像データＤ１は、表示部５の図示左半分の領域Ａ１に対応する位置に黒表示用の画素データＤｂを有し、図示右半分の領域Ａ２に対応する位置に白表示用の画素データＤｗを有するものである。
【０１０１】
コントローラー６３は、画像データＤ１に基づいて画素電極駆動回路６０を駆動し、対応する画素４０の画素電極３５に電圧を印加する。
図１２（ｂ）及び図１３に示すように、領域Ａ１の画素４０では、画素データＤｂに基づいて画素電極３５にハイレベルの電位（例えば１５Ｖ）が入力される。また、領域Ａ２の画素４０では、画素データＤｗに基づいて画素電極３５にローレベルの電位（例えば０Ｖ）が入力される。そして、共通電極３７（ＣＯＭ）には、ハイレベルとローレベルを周期的に繰り返す矩形波状のパルス波が入力される。
【０１０２】
図１２（ｂ）に示す領域Ａ１に属する画素４０では、共通電極３７がローレベルである期間に、画素電極３５（ハイレベル）と共通電極３７との間に生じる電位差により電気泳動素子３２が駆動され、画素４０が黒表示される。
一方、領域Ａ２に属する画素４０では、共通電極３７がハイレベルである期間に、画素電極３５（ローレベル）と共通電極３７との間に生じる電位差により電気泳動素子３２が駆動され、画素４０が白表示される。
以上の動作により、図１２（ｂ）に示すように、黒表示された領域Ａ１と白表示された領域Ａ２とからなるモノクロ画像が表示部５に表示される。
【０１０３】
＜第１のグレー表示ステップＳ３０２＞
次に、第１のグレー表示ステップＳ３０２に移行すると、コントローラー６３に、図１２（ａ）に示す画像データＤ２が入力される。画像データＤ２は、黒表示の領域Ａ１の一部に書き込まれるグレー線に対応する位置（領域Ｇ１）に白表示用の画素データＤｗを有し、その他の領域が非動作用の画素データＤｚを有する画像データである。
【０１０４】
コントローラー６３は、画像データＤ２に基づいて画素電極駆動回路６０を駆動し、対応する画素４０の画素電極３５に電圧を印加する。
図１２（ｂ）に示す領域Ｇ１に属する画素４０では、画素データＤｗに基づいて、画素電極３５にローレベルの電位が入力される。一方、領域Ｇ１以外の領域の画素４０では、画素データＤｚに基づいて、画素電極３５にハイレベルとローレベルを周期的に繰り返す矩形波状のパルス波が入力される。また共通電極３７にも、ハイレベルとローレベルを周期的に繰り返す矩形波状のパルス波が入力される。
図１３に示すように、画素データＤｚに基づき画素電極３５に入力されるパルス波と共通電極３７に入力されるパルス波は、同期した同一のパルス波である。
【０１０５】
領域Ｇ１に属する画素４０では、共通電極３７がハイレベルである期間に、画素電極３５（ローレベル）と共通電極３７との間に生じる電位差により電気泳動素子３２が駆動され、画素４０が白表示動作する。
このとき、電気泳動素子３２は白表示動作するが、図１３に示すように、第１のグレー表示ステップＳ３０２の電圧印加期間は、モノクロ画像表示ステップＳ３０１よりも短いため、元が黒表示であった画素４０は白表示にはならず、濃いグレー表示となる。
【０１０６】
第５の駆動方法では、第１のグレー表示ステップＳ３０２において、領域Ｇ１以外の領域に属する画素４０の画素電極３５は共通電極３７と同電位になる。そのため、領域Ｇ１と他の領域の境界部分において図１０（ｄ）に示した電界Ｅと同様の電界が形成されることはなく、領域Ｇ１以外の領域の表示も変化しない。したがって、第１のグレー表示ステップＳ３０２の終了時には、領域Ｇ１に表示されるグレー線は画素４０よりも広い幅で表示されている。
【０１０７】
＜第２のグレー表示ステップＳ３０３＞
次に、第２のグレー表示ステップＳ３０３に移行すると、コントローラー６３に、図１２（ａ）に示す画像データＤ３が入力される。画像データＤ３は、白表示の領域Ａ２の一部に書き込まれるグレー線に対応する位置（領域Ｇ２）に黒表示用の画素データＤｂを有し、その他の領域に非動作用の画素データＤｚを有する画像データである。
【０１０８】
コントローラー６３は、画像データＤ３に基づいて画素電極駆動回路６０を駆動し、対応する画素４０の画素電極３５に電圧を印加する。
図１２（ｂ）に示す領域Ｇ２に属する画素４０では、画素データＤｂに基づいて、画素電極３５にハイレベルの電位が入力される。一方、領域Ｇ２以外の領域の画素４０では、画素データＤｚに基づいて、画素電極３５にハイレベルとローレベルを周期的に繰り返す矩形波状のパルス波が入力される。また共通電極３７にも、ハイレベルとローレベルを周期的に繰り返す矩形波状のパルス波が入力される。
図１３に示すように、画素データＤｚに基づき画素電極３５に入力されるパルス波と共通電極３７に入力されるパルス波は、同期した同一のパルス波である。
【０１０９】
領域Ｇ２に属する画素４０では、共通電極３７がローレベルである期間に、画素電極３５（ハイレベル）と共通電極３７との間に生じる電位差により電気泳動素子３２が駆動され、画素４０が黒表示動作する。
このとき、電気泳動素子３２は黒表示動作するが、図１３に示すように、第２のグレー表示ステップＳ３０３の電圧印加期間は、モノクロ画像表示ステップＳ３０１よりも短いため、元が白表示であった画素４０は黒表示にはならず、淡いグレー表示となる。
【０１１０】
第５の駆動方法では、第２のグレー表示ステップＳ３０３において、領域Ｇ２以外の領域に属する画素４０の画素電極３５は共通電極３７と同電位になる。そのため、領域Ｇ２と他の領域の境界部分において図８（ｄ）に示した電界Ｅと同様の電界が形成されることはなく、領域Ｇ２以外の領域の表示も変化しない。したがって、第２のグレー表示ステップＳ３０３の終了時には、領域Ｇ２に表示されるグレー線は画素４０よりも広い幅で表示されている。
【０１１１】
＜グレー線縮小ステップＳ３０４＞
次に、グレー線縮小ステップＳ３０４に移行すると、コントローラー６３に、図１２（ａ）に示す画像データＤ４が入力される。画像データＤ４は、図１２（ｂ）に示す領域Ａ１に対応する位置に黒表示用の画素データＤｂを有し、領域Ａ２に対応する位置に白表示用の画素データＤｗを有し、領域Ｇ１、Ｇ２に対応する位置に非動作用の画素データＤｚを有する画像データである。
【０１１２】
コントローラー６３は、画像データＤ４に基づいて画素電極駆動回路６０を駆動し、対応する画素４０の画素電極３５に電圧を印加する。
図１２（ｂ）に示す領域Ａ１に属する画素４０では、画素データＤｂに基づいて、画素電極３５にハイレベルの電位が入力される。領域Ａ２に属する画素４０では、画素データＤｗに基づいて、画素電極３５にローレベルの電位が入力される。領域Ｇ１及び領域Ｇ２に属する画素４０では、画素データＤｚに基づいて、画素電極３５にハイレベルとローレベルを周期的に繰り返す矩形波状のパルス波が入力される。また共通電極３７にも、ハイレベルとローレベルを周期的に繰り返す矩形波状のパルス波が入力される。
図１３に示すように、画素データＤｚに基づき画素電極３５に入力されるパルス波と共通電極３７に入力されるパルス波は、同期した同一のパルス波である。
【０１１３】
領域Ａ１に属する画素４０では、共通電極３７がローレベルである期間に、画素電極３５（ハイレベル）と共通電極３７との間に生じる電位差により電気泳動素子３２が駆動され、画素４０が黒表示動作する。
領域Ａ２に属する画素４０では、共通電極３７がハイレベルである期間に、画素電極３５（ローレベル）と共通電極３７との間に生じる電位差により電気泳動素子３２が駆動され、画素４０が白表示動作する。
一方、領域Ｇ１及び領域Ｇ２に属する画素４０では、画素電極３５が共通電極３７と同電位になるため、画素電極３５と共通電極３７との間に電位差は生じず、表示は変化しない。
【０１１４】
グレー線縮小ステップＳ３０４では、表示部５の画素４０が上記のように動作するため、共通電極３７がローレベルである期間には、領域Ａ１と領域Ｇ１との境界部分において、図１０（ｄ）に示した電界Ｅが形成される。この電界Ｅの作用により、第１のグレー表示ステップＳ３０１では画素４０よりも広い幅で表示されていた領域Ｇ１のグレー線の線幅が縮小される。
【０１１５】
また、共通電極３７がハイレベルである期間には、領域Ａ２と領域Ｇ２との境界部分において、図８（ｄ）に示した電界Ｅが形成される。この電界Ｅの作用により、第２のグレー表示ステップＳ３０３では画素４０よりも広い幅で表示されていた領域Ｇ２のグレー線の線幅が縮小される。
【０１１６】
以上のステップＳ３０１〜Ｓ３０４により、モノクロ画像上の領域Ｇ１、Ｇ２に、それぞれの線幅が縮小されたグレー線を表示することができる。
【０１１７】
以上の第５の駆動方法では、グレー線縮小ステップＳ３０４において、第１及び第２のグレー表示ステップＳ３０２、Ｓ３０３において画素４０よりも広い幅で表示されていたグレー線の線幅を、領域Ａ１、Ａ２の電気泳動素子３２に電圧を印加する際に形成される電界Ｅの作用によって縮小させる。したがって、電界Ｅの強度あるいは作用期間を変化させることで、グレー線の幅を伸縮させることができる。すなわち、図１３に示すグレー線縮小ステップＳ３０４のパルス数あるいはパルス幅（周期）によって、領域Ｇ１、Ｇ２のグレー線の縮小幅を調整することが可能である。
【０１１８】
なお、第５の駆動方法では、領域Ｇ１、Ｇ２以外の領域の画素電極３５を共通電極３７と同電位とすることで領域Ｇ１、Ｇ２のグレー線を同時に縮小している。そのため、本発明に係る「最終パルス」は、先の第１〜第４の駆動方法とは異なり、グレー線縮小ステップＳ３０４において共通電極３７に入力される１周期分のパルスが、作用の面で「最終パルス」に相当する。
【０１１９】
つまり、領域Ｇ１のグレー線を縮小させる作用は、共通電極３７がローレベルである期間においてのみ得られ、領域Ｇ２のグレー線を縮小させる作用は、共通電極３７がハイレベルである期間においてのみ得られる。したがって、グレー線縮小ステップＳ３０４では、共通電極３７に少なくとも１周期分のパルスを入力する必要があり、かかるパルスが、先の第１〜第４の駆動方法における「最終パルス」と同様の作用を奏する。
【０１２０】
また、上記では、第１のグレー表示ステップＳ３０２と第２のグレー表示ステップＳ３０３とを実行することで、それぞれ領域Ｇ１、Ｇ２にグレー線を表示していたが、領域Ｇ１、Ｇ２のグレー線を１回の表示動作で表示させてもよい。
この場合には、画像データＤ２と画像データＤ３とを合成した画像データを用いる。すなわち、領域Ｇ１に対応する位置に白表示用の画素データＤｗを有するとともに、領域Ｇ２に対応する位置に黒表示用の画素データＤｂを有し、その他の領域に非動作用の画素データＤｚを有する画像データを用いる。
【０１２１】
画像データＤ２、Ｄ３を合成した画像データを用いて第１のグレー表示ステップＳ３０２を実行すると、領域Ｇ１、Ｇ２のそれぞれにグレー線を表示させることができる。その後、グレー線縮小ステップＳ３０４を実行すれば、モノクロ画像上の領域Ｇ１、Ｇ２に、それぞれの線幅が縮小されたグレー線を表示することができる。
【０１２２】
また本実施形態では、非動作用の画素データＤｚに基づき入力するパルス波として、共通電極３７と同期したパルス波を用いることとしたが、非動作用の画素データＤｚに対応する画素電極３５をハイインピーダンス状態（Ｈｉ−Ｚ）としてもよい。この場合にも、画素電極３５と共通電極３７との間に電位差が生じないため、上記実施形態と同様に動作させることができる。
【０１２３】
（変形例）
先の実施形態では、セグメント方式の電気泳動表示装置に本発明に係る駆動方法を適用した場合について説明したが、本発明の駆動方法は、アクティブマトリクス方式の電気泳動表示装置にも問題なく適用することができる。
【０１２４】
図１４は、本発明の駆動方法を好適に用いることができる電気泳動表示装置２００の概略構成を示す図である。図１５は、電気泳動表示装置２００の画素回路を示す図である。
なお、図１４及び図１５において、先の実施形態と共通の構成要素には同一の符号を付し、それらの詳細な説明は省略することとする。
【０１２５】
図１４に示すように、電気泳動表示装置２００は、画素１４０がマトリクス状に配列された表示部５と、走査線駆動回路１６１と、データ線駆動回路１６２と、コントローラー１６３（制御部）と、共通電源変調回路１６４と、を備えている。コントローラー１６３は、上位装置から供給される画像データや同期信号に基づき、電気泳動表示装置２００を総合的に制御する。
【０１２６】
表示部５には、走査線駆動回路１６１から延びる複数の走査線６６と、データ線駆動回路１６２から延びる複数のデータ線６８とが形成されており、それぞれ画素１４０に接続されている。
また表示部５には、共通電源変調回路１６４から延びる低電位電源線４９、高電位電源線５０、共通電極配線５５、第１の制御線９１、及び第２の制御線９２が設けられており、それぞれの配線も画素１４０と接続されている。共通電源変調回路１６４は、コントローラー１６３の制御のもと、上記の配線の各々に供給すべき各種信号を生成する一方、これら各配線の電気的な接続及び切断（ハイインピーダンス化）を行う。
【０１２７】
走査線駆動回路１６１は、ｍ本の走査線６６（Ｙ１、Ｙ２、…、Ｙｍ）を介して各々の画素１４０に接続されており、コントローラー１６３の制御のもと、１行目からｍ行目までの走査線６６を順次選択し、画素１４０に設けられた選択トランジスタ４１（図１５参照）のオンタイミングを規定する選択信号を、選択した走査線６６を介して供給する。
【０１２８】
データ線駆動回路１６２は、ｎ本のデータ線６８（Ｘ１、Ｘ２、…、Ｘｎ）を介して各々の画素１４０に接続されており、コントローラー１６３の制御のもと、画素１４０の各々に対応する１ビットの画素データを規定する画像信号を画素１４０に供給する。
なお、本実施形態では、画素データ「０」を規定する場合にはローレベル（Ｌ）の画像信号を画素１４０に供給し、画素データ「１」を規定する場合はハイレベル（Ｈ）の画像信号を画素１４０に供給するものとする。
【０１２９】
画素１４０には、図１５に示すように、選択トランジスタ４１（画素スイッチング素子）と、ラッチ回路（メモリ回路）７０と、スイッチ回路８０と、電気泳動素子３２と、画素電極３５と、共通電極３７とが設けられている。これらの素子を取り囲むように、走査線６６、データ線６８、低電位電源線４９、高電位電源線５０、第１の制御線９１、及び第２の制御線９２が配置されている。画素４０は、ラッチ回路７０により画像信号を電位として保持するＳＲＡＭ（Static Random Access Memory）方式の構成である。
【０１３０】
選択トランジスタ４１は、Ｎ−ＭＯＳ（Negative Metal Oxide Semiconductor）トランジスタである。選択トランジスタ４１のゲート端子は走査線６６に接続され、ソース端子はデータ線６８に接続され、ドレイン端子はラッチ回路７０のデータ入力端子Ｎ１に接続されている。
【０１３１】
ラッチ回路７０のデータ入力端子Ｎ１及びデータ出力端子Ｎ２は、スイッチ回路８０と接続されている。さらにスイッチ回路８０は、画素電極３５と接続されるとともに第１及び第２の制御線９１、９２と接続されている。画素電極３５と共通電極３７との間に電気泳動素子３２が挟持されている。
【０１３２】
ラッチ回路７０は、転送インバータ７０ｔと帰還インバータ７０ｆとを備えている。転送インバータ７０ｔ及び帰還インバータ７０ｆはいずれもＣ−ＭＯＳインバータである。転送インバータ７０ｔと帰還インバータ７０ｆとは、互いの入力端子に他方の出力端子が接続されたループ構造を成しており、それぞれのインバータには、高電位電源端子ＰＨを介して接続された高電位電源線５０と、低電位電源端子ＰＬを介して接続された低電位電源線４９とから電源電圧が供給される。
【０１３３】
転送インバータ７０ｔは、それぞれのドレイン端子をデータ出力端子Ｎ２に接続されたＰ−ＭＯＳ（Positive Metal Oxide Semiconductor）トランジスタ７１とＮ−ＭＯＳトランジスタ７２とを有している。Ｐ−ＭＯＳトランジスタ７１のソース端子は高電位電源端子ＰＨに接続され、Ｎ−ＭＯＳトランジスタ７２のソース端子は低電位電源端子ＰＬに接続されている。Ｐ−ＭＯＳトランジスタ７１及びＮ−ＭＯＳトランジスタ７２のゲート端子（転送インバータ７０ｔの入力端子）は、データ入力端子Ｎ１（帰還インバータ７０ｆの出力端子）と接続されている。
【０１３４】
帰還インバータ７０ｆは、それぞれのドレイン端子をデータ入力端子Ｎ１に接続されたＰ−ＭＯＳトランジスタ７３とＮ−ＭＯＳトランジスタ７４とを有している。Ｐ−ＭＯＳトランジスタ７３及びＮ−ＭＯＳトランジスタ７４のゲート端子（帰還インバータ７０ｆの入力端子）は、データ出力端子Ｎ２（転送インバータ７０ｔの出力端子）と接続されている。
【０１３５】
上記構成のラッチ回路７０において、ハイレベル（Ｈ）の画像信号（画素データ「１」）が記憶されると、ラッチ回路７０のデータ出力端子Ｎ２からローレベル（Ｌ）の信号が出力される。一方、ラッチ回路７０にローレベル（Ｌ）の画像信号（画素データ「０」）が記憶されると、データ出力端子Ｎ２からハイレベル（Ｈ）の信号が出力される。
【０１３６】
スイッチ回路８０は、第１のトランスミッションゲートＴＧ１と、第２のトランスミッションゲートＴＧ２とを備えて構成されている。
第１のトランスミッションゲートＴＧ１は、Ｐ−ＭＯＳトランジスタ８１とＮ−ＭＯＳトランジスタ８２とからなる。Ｐ−ＭＯＳトランジスタ８１及びＮ−ＭＯＳトランジスタ８２のソース端子は第１の制御線９１に接続され、Ｐ−ＭＯＳトランジスタ８１及びＮ−ＭＯＳトランジスタ８２のドレイン端子は画素電極３５に接続されている。また、Ｐ−ＭＯＳトランジスタ８１のゲート端子は、ラッチ回路７０のデータ入力端子Ｎ１（選択トランジスタ４１のドレイン端子）に接続され、Ｎ−ＭＯＳトランジスタ８２のゲート端子は、ラッチ回路７０のデータ出力端子Ｎ２に接続されている。
【０１３７】
第２のトランスミッションゲートＴＧ２は、Ｐ−ＭＯＳトランジスタ８３とＮ−ＭＯＳトランジスタ８４とからなる。Ｐ−ＭＯＳトランジスタ８３及びＮ−ＭＯＳトランジスタ８４のソース端子は第２の制御線９２に接続され、Ｐ−ＭＯＳトランジスタ８３及びＮ−ＭＯＳトランジスタ８４のドレイン端子は、画素電極３５に接続されている。また、Ｐ−ＭＯＳトランジスタ８３のゲート端子は、ラッチ回路７０のデータ出力端子Ｎ２に接続され、Ｎ−ＭＯＳトランジスタ８４のゲート端子は、ラッチ回路７０のデータ入力端子Ｎ１に接続されている。
【０１３８】
ここで、ラッチ回路７０にローレベル（Ｌ）の画像信号（画素データ「０」）が記憶され、データ出力端子Ｎ２からハイレベル（Ｈ）の信号が出力された場合、第１のトランスミッションゲートＴＧ１がオン状態となり、第１の制御線９１を介して供給される電位Ｓ１が画素電極３５に入力される。
一方、ラッチ回路７０にハイレベル（Ｈ）の画像信号（画素データ「１」）が記憶され、データ出力端子Ｎ２からローレベル（Ｌ）の信号が出力された場合、第２のトランスミッションゲートＴＧ２がオン状態となり、第２の制御線９２を介して供給される電位Ｓ２が画素電極３５に入力される。
【０１３９】
以上の構成を備えた電気泳動表示装置２００では、ラッチ回路７０の保持電位に基づいてスイッチ回路８０を動作させることで、画素電極３５に第１又は第２の制御線９１、９２を自在に接続することができる。そして、第１の制御線９１、第２の制御線９２の電位は、ハイインピーダンス状態を含む任意の電位とすることができるので、画素電極３５の電位を自在に制御することができる。
【０１４０】
電気泳動表示装置２００では、先に説明した第１から第４の駆動方法を適用することができる。電気泳動表示装置２００では画素電極３５に入力される電位は第１の制御線９１又は第２の制御線９２の電位であるから、例えば、図５に示したタイミングチャートにおいて、「ＳＥＧ０」を第１の制御線９１の電位、「ＳＥＧ１」を第２の制御線９２の電位とし、表示部５に転送する画像データにより画素電極３５と接続される第１又は第２の制御線９１、９２を制御することで、第１の駆動方法と同様の動作を実現することができる。第２から第４の駆動方法を採用する場合も同様である。
【０１４１】
（電子機器）
次に、上記実施形態の電気泳動表示装置を、電子機器に適用した場合について説明する。
図１６は、腕時計１０００の正面図である。腕時計１０００は、時計ケース１００２と、時計ケース１００２に連結された一対のバンド１００３とを備えている。
時計ケース１００２の正面には、上記実施形態の電気泳動表示装置１００（２００）からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【０１４２】
図１７は電子ペーパー１１００の構成を示す斜視図である。電子ペーパー１１００は、上記各実施形態の電気泳動表示装置１００（２００）を表示領域１１０１に備えている。電子ペーパー１１００は可撓性を有し、従来の紙と同様の質感及び柔軟性を有する書き換え可能なシートからなる本体１１０２を備えて構成されている。
【０１４３】
図１８は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【０１４４】
以上の腕時計１０００、電子ペーパー１１００、及び電子ノート１２００によれば、表示部に本発明に係る電気泳動表示装置１００（２００）が採用されているので、表現力に優れた表示部を備える電子機器となっている。
なお、各図に示した電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【０１４５】
１００，２００  電気泳動表示装置、２０  マイクロカプセル、３２  電気泳動素子、３５  画素電極、３７  共通電極、４０，１４０  画素、６０  画素電極駆動回路、６１  画素電極配線、６２  共通電極配線、６３，１６３  コントローラー（制御部）、６４  共通電極駆動回路、７０  ラッチ回路、８０  スイッチ回路、９１  第１の制御線、９２  第２の制御線、１６１  走査線駆動回路、１６２  データ線駆動回路、１６４  共通電源変調回路
【図１】
2010211049.tif 000003
【図２】
2010211049.tif 000004
【図３】
2010211049.tif 000005
【図４】
2010211049.tif 000006
【図５】
2010211049.tif 000007
【図６】
2010211049.tif 000008
【図７】
2010211049.tif 000009
【図８】
2010211049.tif 000010
【図９】
2010211049.tif 000011
【図１０】
2010211049.tif 000012
【図１１】
2010211049.tif 000013
【図１２】
2010211049.tif 000014
【図１３】
2010211049.tif 000015
【図１４】
2010211049.tif 000016
【図１５】
2010211049.tif 000017
【図１６】
2010211049.tif 000018
【図１７】
2010211049.tif 000019
【図１８】
2010211049.tif 000020